(57)【要約】      （修正有）【課題】手との密着感を向上させる野球またはソフトボール用グラブを提供する。【解決手段】手が挿入される手入れ部の甲側に備えられ、手挿入先方甲側に形成された窓空間の後方側に設けられた手口バンド２と、手口バンド２先方側の窓空間とウェッブ１０後方部の間に設けられた挿入孔３と、小指挿入袋より後方側の内面に装着され、先端部が挿入孔３に挿入される締付ベルト４と、を有した構成にしているので、締付ベルト４を先端方向に引くことにより、手とグラブとの密着感を向上させることができる。【選択図】図２
2019198605.tif 000002
【特許請求の範囲】
【請求項１】
手との密着感を向上させる野球またはソフトボール用グラブであって、
手が挿入される手入れ部の甲側に備えられ、手挿入先方甲側に形成された窓空間の後方側に設けられた手口バンドと、
該手口バンド先方側の窓空間とウェッブ後方部の間に設けられた挿入孔と、
小指挿入袋より後方側の内面に装着され、先端部が前記挿入孔に挿入される締付ベルトと、を有し、
前記締付ベルトを先端方向に引くことにより、手との密着感を向上させることができる野球またはソフトボール用グラブ。
【請求項２】
前記締付ベルトは、
前記挿入孔に挿入されていない外側面に設けられた未挿入側面ファスナーと、
前記挿入孔に挿入された後に折り返され、該折り返された内側面に設けられた挿入側面ファスナーと、を有し、
前記締付ベルトを先端方向に引いた後に、前記未挿入側面ファスナーと前記挿入側面ファスナーを付着されることにより、手との密着感を向上させることができる請求項１記載の野球またはソフトボール用グラブ。
【請求項３】
前記手口バンドの一端は、小指挿入袋より後方側の外面に装着され、他端である親指側端部は遊離され、該遊離された前記手口バンドの前記親指側端部裏側に設けられた手口バンド親指側面ファスナーと、
親指挿入袋外面の手首側に設けられた親指挿入袋面ファスナーと、を有し、
前記手口バンドを先端方向に引いた後に、前記手口バンド親指側面ファスナーと前記親指挿入袋面ファスナーとを付着させることにより、手との密着感を向上させることができる請求項１または請求項２記載の野球またはソフトボール用グラブ。
【請求項４】
前記手口バンドの一端は、親指挿入袋より後方側の外面に装着され、他端である小指側端部は遊離され、該遊離された前記手口バンドの前記小指側端部裏側に設けられた手口バンド小指側面ファスナーと、
小指挿入袋外面の手首側に設けられた小指挿入袋面ファスナーと、を有し、
前記手口バンドを先端方向に引いた後に、前記手口バンド小指側面ファスナーと前記小指挿入袋面ファスナーとを付着させることにより、手との密着感を向上させることができる請求項１または請求項２記載の野球またはソフトボール用グラブ。
【発明の詳細な説明】
【技術分野】
【０００１】  本発明は、手との密着感を向上させる野球またはソフトボール用グラブに関する。
【背景技術】
【０００２】  従来の野球グラブの構成について説明する。図１３は、従来の野球グラブの手口バンド１００の固定状態を示す背面図である。この図から分かるように同野球グラブの本体に設けられ、親指甲側の周縁部に手口バンド１００の一端を固定し、手口バンド１００の他端と手口の小指側の周縁部とをこれらに形成した綴じ穴１０１、１０２、１０３、１０４を挿通する革紐１０５により長さ寸法調整可能に固定する同野球用グラブに於いて、手口バンド１００の他端を該手口の小指側の周縁部よりも柔軟に構成したものがあった（特許文献１）。【０００３】  この構成によれば、手口バンド１００の他端の表皮を切除することで簡単に他端を上記手口の小指側の周縁部よりも柔軟に構成することができ、手口バンド１００の表皮と芯材を切除部の近傍で遊離させ、該表皮の切除部の近傍に該綴じ穴を形成することにより、サイズ調整を特別の道具を使用しないで簡単に行うことができる。
【先行技術文献】
【特許文献】
【０００４】
【特許文献１】特開２００３−２６５６７１号公報
【発明の概要】
【発明が解決しようとする課題】
【０００５】  従来のグラブの手口バンド１００の固定方法について説明する。図１３に示すように、手口バンド１００の先端の閉じ穴１０１、１０２と、小指挿入袋９の下部の周縁部に形成された綴じ穴１０３、１０４に革紐１０５を挿通させて、長さ寸法を調整する構造であった。グラブの手口バンド１００の締め付け具合を変更したい場合、まずは綴じ穴１０１、１０２と綴じ穴１０３、１０４に挿通されている革紐１０５を１度、全て抜いて通し直さなければならなかった。この作業は、試合中は勿論、練習中でも、その時間的な余裕はなく、簡単にすばやく使用者が変更することはできないという問題があった。【０００６】  手口バンド１００のプレー中の手口のすき間空間の変化について説明する。図１４（ａ）は、同野球グラブの手口バンド１００の装着状態を示す状態図であり、図１４（ｂ）は、同野球グラブの手口バンドの逆シングルでのボール捕球動作及び投球時の手口バンドの装着状態を示す状態図である。図１４（ａ）に示すように同グラブは、手口バンド１００の小指側の長さ寸法を調整することにより、手口の形状を手とフィットさせるものである。従来の固定方法の締め方だと手口バンド１００と手首の間には、一番厚くて幅の大きな中手骨辺りが、ストレスなく通れるほどのスペースが必要だが、実際に手首の手根骨上部辺りは、それほどの幅も厚みがなく、どうしても図１４（ａ）のようなすき間空間ができる装着になる。さらに図１４（ｂ）に示すように、逆シングル捕球や激しい投球動作のときグラブを大きくひねると、この手の甲側と手口バンド１００のすき間空間は、さらに大きくなる。そのためにグラブが抜けそうな感覚になり、手との一体感もなくなり捕球時にボールの勢いに負けてグラブが外れたり、指先に力が伝わらなかったりして使用者が不安を感じるという問題があった。【０００７】  図１４（ａ）に示すように従来のグラブの手口バンド１００の部分に初めからすき間空間があり、守備のときの逆シングルキャッチ動作の状態でボールが捕球しにくいという問題が起こった。また、投球動作でも、伸ばしたグラブ側の腕を身体方向に引くときに、グラブをひねる動作が起こるが、このときにすき間空間が図１４（ｂ）に示すようにさらに大きくなる。このために使用者は、脇を締めグラブが手からはずれ出ないようにするなど余計なストレスを感じながら投げている。また、夏の時期などは、特に試合後半になると、すき間空間の影響と自分の汗で、滑って抜けそうになるという問題もあった。
【課題を解決するための手段】
【０００８】  本発明のグラブは、手との密着感を向上させる野球またはソフトボール用グラブであって、手が挿入される手入れ部の甲側に備えられ、手挿入先方甲側に形成された窓空間の後方側に設けられた手口バンドと、手口バンド先方側の窓空間とウェッブ後方部の間に設けられた挿入孔と、小指挿入袋より後方側の内面に装着され、先端部が挿入孔に挿入される締付ベルトと、を有し、締付ベルトを先端方向に引くことにより、手との密着感を向上させることができる効果がある。【０００９】  また、締付ベルトは、挿入孔に挿入されていない外側面に設けられた未挿入側面ファスナーと、挿入孔に挿入された後に折り返され、折り返された内側面に設けられた挿入側面ファスナーと、を有し、締付ベルトを先端方向に引いた後に、未挿入側面ファスナーと挿入側面ファスナーを付着されることにより、手との密着感を向上させることができる効果がある。【００１０】  さらに、手口バンドの一端は、小指挿入袋より後方側の外面に装着され、他端である親指側端部は遊離され、遊離された手口バンドの親指側端部裏側に設けられた手口バンド親指側面ファスナーと、親指挿入袋の外面の手首側に設けられた親指挿入袋面ファスナーと、有し、手口バンドを先端方向に引いた後に、手口バンド親指側面ファスナーと親指挿入袋面ファスナーとを付着させることにより、手首との密着感を向上させることができ、小指側の締りがさらに向上し捕球動作に重要な対立運動がしやすくなるという効果がある。【００１１】  また、手口バンドの一端は、親指挿入袋より後方側の外面に装着され、他端である小指側端部は遊離され、遊離された手口バンドの小指側端部裏側に設けられた手口バンド小指側面ファスナーと、小指挿入袋外面の手首側に設けられた小指挿入袋面ファスナーと、有し、手口バンドを先端方向に引いた後に、手口バンド小指側面ファスナーと小指挿入袋面ファスナーとを付着させることにより、手首との密着感を向上させることができ、親指側の締りがさらに向上し捕球動作に重要な対立運動がしやすくなるという効果がある。
【発明の効果】
【００１２】  本発明の野球またはソフトボール用グラブでは、手口バンドの小指挿入袋より後方側の内面に密着された締付ベルトを手口バンド先方側の窓空間とウェッブ後方部の間に設けられた挿入孔に挿入し、締付ベルトを先端方向に引くことにより手の甲とグラブとの密着性を向上させるとこができるので、より強い締め付け効果がある手と一体感のあるグラブである。また、本発明の野球またはソフトボール用グラブでは、締付ベルトの挿入孔に挿入されていない外側面に設けられて未挿入側面ファスナーに、挿入孔に挿入された後に折り返されその折り返された内側面に設けられた挿入側面ファスナーを付着するとこにより使用者が簡単に時間をかけず手の甲とグラブとの密着性を調整し、向上させるとこができるという効果がある。【００１３】  本発明の野球またはソフトボール用グラブは、親指側端部が遊離された手口バンドを手口バンド先端方向に引いた後に、手口バンド親指側面ファスナーと親指挿入袋面ファスナーとを付着させることにより、小指下の甲側部分がグラブとよりフィットし手との小指側の密着がよくなり小指側の動きが向上するので逆シングル捕球に効果がある。【００１４】  本発明の野球またはソフトボール用グラブは、小指側端部が遊離された手口バンドを手口バンド先端方向に引いた後に、手口バンド小指側面ファスナーと小指挿入袋面ファスナーとを付着させることにより、親指下の甲側部分がグラブとよりフィットし手との親指側の密着がよくなり親指側の動きが向上するので身体から遠いフォアハンド捕球に効果がある。
【図面の簡単な説明】
【００１５】
【図１】本発明の第１実施の形態を示す野球またはソフトボール用グラブの背面図
【図２】同野球またはソフトボール用グラブの締付ベルトと手口バンドを全開した状態の斜視図
【図３】同野球またはソフトボール用グラブの装着時の斜視図
【図４】同野球またはソフトボール用グラブの装着完了時の斜視図
【図５】同野球またはソフトボール用グラブを使用した場合の逆シングルの捕球動作状態を示す状態図
【図６】同野球またはソフトボール用グラブを使用した場合の投球時のグラブのひねり動作状態を示す状態図
【図７】（ａ）同野球またはソフトボール用グラブの手口バンドの装着状態を示す状態図  （ｂ）同野球またはソフトボール用グラブの逆シングルでの捕球動作及び投球時の手口バンドの装着状態を示す状態図
【図８】本発明の第２実施の形態を示す野球またはソフトボール用グラブの背面図
【図９】同野球またはソフトボール用グラブの締付ベルトと手口バンドを全開した状態の斜視図
【図１０】同野球またはソフトボール用グラブの装着時の斜視図
【図１１】同野球またはソフトボール用グラブの装着完了時の斜視図
【図１２】（ａ）同野球またはソフトボール用グラブの手口バンドの装着状態を示す状態図  （ｂ）同野球またはソフトボール用グラブの逆シングルでの捕球動作及び投球時の手口バンドの装着状態を示す状態図
【図１３】従来の野球グラブの手口バンドの固定状態を示す背面図
【図１４】（ａ）同野球グラブの手口バンドの装着状態を示す状態図  （ｂ）同野球グラブの手口バンドの逆シングルでのボール捕球動作及び投球時の手口バンドの装着状態を示す状態図
【発明を実施するための形態】
【００１６】  本発明の第１実施の形態の野球またはソフトボール用グラブ（以下、「グラブ」と記載する）について、図１および図２を参照しながら説明する。ここで、図１は、本発明の第１実施の形態を示すグラブの背面図であり、図２は、同グラブの締付ベルトと手口バンドを全開した状態の斜視図である。なお、図１については、グラブの外面全体を表示する関係上、各構成を少し変形して表示させている。
【００１７】  図１および図２に示すようにグラブ１ａは、手との密着感を向上させるために、手口バンド２と、挿入孔３と、締付ベルト４と、を有している。
【００１８】  さらに、図１に示すようにグラブ１ａの構成は、手の５本の指が、順に挿入される親指挿入袋５、人差し指挿入袋６、中指挿入袋７、薬指挿入袋８及び小指挿入袋９を設け、さらに、親指挿入袋５と人差し指挿入袋６の間にウェッブ１０を設けた構成になっている。また、手が挿入される手入れ部の甲側には、手を挿入する先方向に形成された窓空間１１が形成され、この窓空間１１の後方側に手口バンド２を設けている。この手口バンド２の一端は、小指挿入袋９より後方側の外面の手口バンド装着部１２で縫着され、他端の親指側端部１３は、遊離されている。また、図２に示すように、遊離された手口バンド２の親指側端部１３の裏側には、手口バンド親指側面ファスナー１４が設けられている。さらに、手口バンド親指側面ファスナー１４の装着先として、親指挿入袋５の後方に親指挿入袋面ファスナー１５を設けている。
【００１９】  さらに、図１に示すように、手口バンド２の先方側の窓空間１１とウェッブ１０の後方部の間に折り返しハート１６を設けている。この折り返しハート１６は、捕球面の親指挿入袋５と人差し指挿入袋６の間の捕球面を背面側に折り返して縫製されて、ボールを捕球した時に捕球面側のウェッブ１０の下部の破けや裂けを軽減する目的のために設けたものである。この折り返しハート１６の位置に、締付ベルト４を挿入する挿入孔３を設けている。
【００２０】  また、前述した締付ベルト４は、その一端が小指挿入袋９より後方側の内面で手首側の縁の締付ベルト装着部１７に縫製することによって装着されている。そして、締付ベルト４の他端は、図２に示すように、挿入孔３を挿通している。さらに、締付ベルト４は、挿入孔３に挿入されていない外側面に未挿入側面ファスナー１８と、挿入孔３に挿入された外側面に挿入側面ファスナー１９と、を有している。なお、図１及び図２の第１実施の形態の場合では、締付ベルト４は、締付ベルト装着部１７で縫製され、さらに、手口バンド装着部１２においても、手口バンド２と一緒に、縫製されている。
【００２１】  グラブ１ａの締付ベルト４の装着方法について説明する。図３は、グラブ１ａの装着時の斜視図である。図３に示すように、手をグラブ１ａに装着するときは、まず、親指側端部１３側の手口バンド２を全開にする。そして、手を締付ベルト４の下側を通して、手の各指に対応する挿入袋５〜９に挿入して、反対の手で、締付ベルト４を先端方向に引っ張り、手の甲と締付ベルト４との隙間空間をなくす。その後、挿入孔３に挿入された締付ベルト４の先端部分を折り返して、挿入側面ファスナー１９を未挿入側面ファスナー１８に付着させることで締付ベルト４の先端を固定する。
【００２２】  締付ベルト４の効果を図４で説明する。図４は、グラブ１ａの装着完了時の斜視図である。図４に示すように、締付ベルト４の締め付け効果により手の甲とグラブ１ａとのすき間空間がなくなり、手の小指側の甲とグラブも一体化しているので手の平とグラブ内部が、より密着し使用者の激しい捕球や投球動作においてもグラブ１ａが抜けにくくなる効果がある。特に夏に汗をかいてもグラブ１ａがすべったり抜け落ちたりする不安やストレスもなくなる。
【００２３】  なお、締付ベルト４の幅は、約１ｃｍ〜４ｃｍの範囲のものであれば装着可能であるが、使用者の手の大きさや使用ボールの種類などで、ベルトの幅の仕様が異なる場合がある。その中でも通常２ｃｍ〜２．５ｃｍが操作しやすく、また、締め付け効果もより出やすくなる。なお、締付ベルト４の材料は、天然皮革以外に、伸縮性のあるゴムや人工皮革などの材料でもよい。
【００２４】  手口バンド２の装着方法について説明する。図４は、グラブ１ａの装着完了時の斜視図である。上述したように、最初に締付ベルト４で、手の甲をしっかり固定したあとに、手口バンド親指側面ファスナー１４を親指挿入袋面ファスナー１５に付着させることで、手口バンド２の遊離部を固定する。その結果、手口バンド親指側面ファスナー１４と親指挿入袋面ファスナー１５とでしっかりと固定することができ、グラブ１ａと手首とのすき間空間をなくす。
【００２５】  手口バンド２の効果を図４で説明する。図４は、グラブ１ａの装着完了時の斜視図である。図４に示すように、手口バンド２は、親指挿入袋面ファスナー１５で、自分の手の大きさや厚みを自由に調整でき、手首とグラブ１ａとのすき間空間がなくなり手首もしっかり固定されるので、グラブ１ａの体感重量も軽くなり操縦性が向上して、使用者の指の細やかな動作感覚が、そのままグラブ１ａの捕球面や指先に伝わることが可能になる。
【００２６】  グラブ１ａの守備における捕球動作の効果を図５、図７（ａ）、（ｂ）を使って説明する。図５は、グラブ１ａを使用した場合の逆シングルの捕球動作状態を示す状態図である。図７（ａ）は、グラブ１ａの手口バンド２の装着状態を示す状態図であり、図７（ｂ）は、グラブ１ａの逆シングルでの捕球動作及び投球時の手口バンド２の装着状態を示す状態図である。
【００２７】  図５に示すように逆シングルの捕球動作は、フォアハンド捕球動作よりボールも勢いがある場合が多く、かなり高度な捕球技術が要求される。図７（ａ）に示すようにグラブ１ａならば、逆シングル捕球動作を行っても締付ベルト４と手口バンド２の相乗効果のおかげで、手の甲と手首のすき間空間がないために、ボールの勢いにグラブをはじかれる心配もなく、また、使用者の指の関節の感覚が、すぐにグラブの指先に届くことが可能な状態であり、その結果、捕球から握り替えなど一連の動作に余計なストレスもなく終始安定し、時間的ロスが減少するといった効果がある。
【００２８】  さらに同グラブの投球時の効果を図６、図７（ａ）（ｂ）を使って説明する。それぞれ、図６は野球グラブを使用した場合の投球時のグラブのひねり動作状態を示す状態図である。また、図７（ａ）はグラブ１ａの手口バンドの装着状態を示す状態図である。そして、図７（ｂ）は、グラブ１ａの投球動作のときの手口バンドの装着状態を示す状態図である。図６に示すように投手が、大きな力のかかる体重移動を使った回転運動で投球するときに、グラブは、大きくひねられる。このときにグラブ１ａならば図７（ａ）に示すように使用者があらかじめ自分の手の厚みや幅に自由自在に調整できているので、もともと小指側の甲部分にも大きな隙間空間がなく、大切な投球時のリリース場面でも図７（ｂ）に示すようにグラブの腕を引く激しい動作のときも、グラブが外れるような不安やストレスなくリラックスして投げられる。また、締付ベルト４や手口バンド２の密着効果によって汗で、グラブが脱げやすくなるという心配もなくなる。
【００２９】  上述した第１実施の形態の説明では、手口バンド２の先方側の窓空間１１とウェッブ１０の後方部の間に折り返しハート１６を設け、この折り返しハート１６に締付ベルト４を挿入する挿入孔３を有した構成としたが、折り返しハート１６を設けないグラブであっても、この折り返しハート１６と同様な位置に挿入孔３を設けてもよい。そして、その挿入孔３に締付ベルト４を挿入すれば、上述した内容と同様な作用、効果が得られる。
【００３０】  また、第１実施の形態の説明では、挿入孔３は、直接、穴を開ける構造としたが、手口バンド先方側の窓空間１１とウェッブ１０後方部の間に金属やプラスチック枠などを装着し、その枠に締付ベルト４が挿通する構成としてもよい。その場合も、上述した内容と同様な作用、効果が得られる。
【００３１】  本発明の第２実施の形態を示す野球またはソフトボール用グラブ（以下、「グラブ」と記載する。）について、図８および図９を参照しながら説明する。ここで、図８は、同グラブの背面図であり、図９は同グラブの締付ベルトと手口バンドを全開した状態の斜視図である。なお、図８については、グラブの外面全体を表示する関係上、各構成を少し変形して表示させている。
【００３２】  図８に示すようにグラブ１ｂの構成は、手との密着感を向上させるために、手口バンド２０と、挿入孔３と、締付ベルト４と、を有している。さらに手の５本の指が、順に挿入される親指挿入袋５、人差し指挿入袋６、中指挿入袋７、薬指挿入袋８及び小指挿入袋９を設け、さらに、親指挿入袋５と人差し指挿入袋６の間にウェッブ１０を設けた構成になっている。また、手が挿入される手入れ部の甲側には、手を挿入する先方向に形成された窓空間１１が形成され、この窓空間１１の後方側に手口バンド２０を設けている。この手口バンド２０の一端は、親指挿入袋５より後方側の外面の手口バンド装着部２１に縫製することによって装着され、他端の小指側端部２２は遊離されている。また、図９に示すように、遊離された手口バンド２０の小指側端部２２の裏側には、手口バンド小指側面ファスナー２３が設けられている。さらに、手口バンド小指側面ファスナー２３の装着先として、小指挿入袋９の後方に小指挿入袋面ファスナー２４を設けている。
【００３３】  さらに、図８に示すように、手口バンド２０の先方側の窓空間１１とウェッブ１０の後方部の間に折り返しハート１６を設けている。この折り返しハート１６は、捕球面の親指挿入袋５と人差し指挿入袋６の間の捕球面を背面側に折り返して縫製され、ボールを捕球した時に捕球面側のウェッブ１０の下部の捕球面の破けや裂けを軽減する目的のために設けたものである。この折り返しハート１６に締付ベルト４を挿入する挿入孔３を有している。
【００３４】  また、前述した締付ベルト４は、その一端が、小指挿入袋９より後方側の内面で、手首側の縁の締付ベルト装着部１７によって装着されている。そして、締付ベルト４の他端は、図９に示すように、挿入孔３を挿通している。さらに、締付ベルト４は、挿入孔３に挿入されていない未挿入側面ファスナー１８と、挿入孔３に挿入された挿入側面ファスナー１９と、を有している。
【００３５】  手口バンド２０の装着方法を説明する。図１０は、グラブ１ｂの装着時の斜視図である。図１０に示すように、締付ベルト４で、手の甲をしっかり固定したあとに、手口バンド小指側面ファスナー２３と小指挿入袋面ファスナー２４とで固定して、手首とグラブ１ｂのすき間空間をなくすように装着する。
【００３６】  グラブ１ｂの手口バンド２０の効果を図１１で説明する。図１１は、グラブ１ｂの装着完了時の斜視図である。図１１に示すように、グラブ１ｂの手口バンド２０は、小指挿入袋面ファスナー２４で、自分の手の大きさや厚みを自由に調整し、しっかりと固定されるので、締付ベルト４との相乗効果により、手首とグラブとの隙間がなく、さらに手の甲側や親側の締め付け度合も強くなるので手の細やかな動作感覚、特に親指の動きがそのままグラブ１ｂの捕球面や指先に伝わりプレー中にグラブ１ｂが抜ける、ずれる心配やストレスがなくリラックスしたプレーが可能になる。
【００３７】  グラブ１ｂの守備における捕球動作の効果を図５、図１２（ａ）（ｂ）を使って説明する。図５は、逆シングル捕球動作状態を示す状態図である。図１２（ａ）は、グラブ１ｂの手口バンドの装着状態を示す状態図である。また、図１２（ｂ）は、グラブ１ｂの逆シングルでの捕球動作時の手口バンドの装着状態を示す状態図である。図５に示すように、内野手の守備の逆シングルの捕球動作の状態は、フォアハンド捕球よりボールも勢いがある場合も多く、かなり高度な技術が要求される。図１２（ａ）に示すようにグラブ１ｂならば、逆シングル捕球動作でも締付ベルト４と手口バンド２０の相乗効果で手の甲や手首の隙間空間もなく使用者の指の感覚がすぐにグラブに届くことが可能な状態で、親指がよく効き捕球から握り替え動作もストレスなくプレー出来ることが可能である。
【００３８】  さらにグラブ１ｂの投球時の効果を図６、図１２（ａ）（ｂ）を使って説明する。図６は、グラブを使用した場合の投球時のグラブのひねり動作状態を示す状態図である。図１２（ａ）は、グラブ１ｂの手口バンドの装着状態を示す状態図である。図１２（ｂ）は、グラブ１ｂの投球時の手口バンドの装着状態を示す状態図である。図６に示すように、投手が、大きな力のかかる体重移動を使った回転運動で投球するときに、グラブは、図６のように大きくひねられる。このときにグラブ１ｂならば、図１２（ａ）に示すように使用者があらかじめ自分の手の厚みや幅を調整できて手とフィットしているので、特に親指側にもすき間空間がなく、大切な投球時のリリース場面で、図１２（ｂ）に示すようにグラブ側の腕を身体に引く激しい動作のときも、グラブが外れる感覚やずれるなどの余計なストレスもなくリラックスして投げられる。また、締付ベルト４や手口バンド２０の密着効果によって汗で、グラブ１ｂが、脱げやすくなるというストレスもなくなる。
【００３９】  上述した第２実施の形態の説明では、手口バンド２０の先方側の窓空間１１とウェッブ１０の後方部の間に折り返しハート１６を設け、この折り返しハート１６に締付ベルト４を挿入する挿入孔３を有した構成としたが、折り返しハート１６を設けないグラブであっても、この折り返しハート１６と同様な位置に挿入孔３を設けてもよい。そして、その挿入孔３に締付ベルト４を挿入すれば、上述した内容と同様な作用、効果が得られる。
【００４０】  また、第２実施の形態の説明では、挿入孔３が、手口バンド２０の先方側の窓空間１１とウェッブ１０の後方部の間のグラブ１ｂに直接設けられた構成としたが、手口バンド２０の先方側の窓空間１１とウェッブ１０後方部の間に金属枠やプラスチック枠を装着し、その枠に締付ベルト４が挿通される構成としてもよい。その場合も、上述した内容と同様な作用、効果が得られる。
【００４１】  なお、上記した本発明の第１実施の形態、及び、第２実施の形態における野球またはソフトボール用グラブはファーストミットもキャッチャーミットも含まれ、第１実施の形態、及び、第２実施の形態で記載した同様の作用効果が得られる。
【符号の説明】
【００４２】１ａ    グラブ（第１実施の形態）
１ｂ    グラブ（第２実施の形態）
２      手口バンド（第１実施の形態）
３      挿入孔
４      締付ベルト
５      親指挿入袋
６      人差し指挿入袋
７      中指挿入袋
８      薬指挿入袋
９      小指挿入袋
１０    ウェッブ
１１    窓空間
１２    手口バンド装着部（第１実施の形態）
１３    親指側端部
１４    手口バンド親指側面ファスナー
１５    親指挿入袋面ファスナー
１６    折り返しハート
１７    締付ベルト装着部
１８    未挿入側面ファスナー
１９    挿入側面ファスナー
２０    手口バンド（第２実施の形態）
２１    手口バンド装着部（第２実施の形態）
２２    小指側端部
２３    手口バンド小指側面ファスナー
２４    小指挿入袋面ファスナー
１００  手口バンド
１０１  綴じ穴
１０２  綴じ穴
１０３  綴じ穴
１０４  綴じ穴
１０５  革紐
【図１】
2019198605.tif 000003
【図２】
2019198605.tif 000004
【図３】
2019198605.tif 000005
【図４】
2019198605.tif 000006
【図５】
2019198605.tif 000007
【図６】
2019198605.tif 000008
【図７】
2019198605.tif 000009
【図８】
2019198605.tif 000010
【図９】
2019198605.tif 000011
【図１０】
2019198605.tif 000012
【図１１】
2019198605.tif 000013
【図１２】
2019198605.tif 000014
【図１３】
2019198605.tif 000015
【図１４】
2019198605.tif 000016
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
手との密着感を向上させる野球またはソフトボール用グラブであって、 
手が挿入される手入れ部の甲側に備えられ、手挿入先方甲側に形成された窓空間の後方側に設けられた手口バンドと、
該手ロバンド先方側の窓空間とウェッブ後方部の間に設けられ、親指挿入袋と人差し指挿入袋の間の捕球面から背面側に折り返して縫製させることにより形成された折り返しハートと、
該折り返しハートに設けられた挿入孔と、
小指挿入袋より後方側の内面に装着され、先端部が前記挿入孔に挿入される締付ベルトと、を有し、
前記折り返しハートの前記挿入孔に挿入された前記締付ベルトを先端方向に引くことにより、手との密着感を向上させることができる野球またはソフトボール用グラブ。
【請求項２】
前記締付ベルトは、 
前記挿入孔に挿入されていない外側面に設けられた未挿入側面ファスナーと、
前記挿入孔に挿入された後に折り返され、該折り返された内側面に設けられた挿入側面ファスナーと、を有し、
前記締付ベルトを先端方向に引いた後に、前記未挿入側面ファスナーと前記挿入側面ファスナーを付着されることにより、手との密着感を向上させることができる請求項1記載の野球またはソフトボール用グラブ。
【請求項３】
前記手ロバンドは、一端が小指挿入袋より後方側の外面に装着され、他端が親指側端部で遊離され、
前記手ロバンドの他端の親指側端部裏側に設けられた手口バンド親指側面ファスナーと、
親指挿入袋外面の手首側に設けられた親指挿入袋面ファスナーと、を有し、
前記手ロバンドを先端方向に引いて親指端部側に引き寄せた後に、前記手ロバンド親指側面ファスナーと前記親指挿入袋面ファスナーとを付着させることにより、手との密着感を向上させることができる請求項１または請求項２記載の野球またはソフトボール用グラブ。
【手続補正２】
【補正対象書類名】明細書
【補正対象項目名】０００８
【補正方法】変更
【補正の内容】
【０００８】
本発明のグラブは、手との密着感を向上させる野球またはソフトボール用グラブであって、 手が挿入される手入れ部の甲側に備えられ、手挿入先方甲側に形成された窓空間の後方側に設けられた手口バンドと、手ロバンド先方側の窓空間とウェッブ後方部の間に設けられ、親指挿入袋と人差し指挿入袋の間の捕球面から背面側に折り返して縫製させることにより形成された折り返しハートと、折り返しハートに設けられた挿入孔と、小指挿入袋より後方側の内面に装着され、先端部が挿入孔に挿入される締付ベルトと、を有し、折り返しハートの挿入孔に挿入された締付ベルトを先端方向に引くことにより、手との密着感を向上させることができる効果がある。
【手続補正３】
【補正対象書類名】明細書
【補正対象項目名】００１０
【補正方法】変更
【補正の内容】
【００１０】
さらに、手ロバンドは、一端が小指挿入袋より後方側の外面に装着され、他端が親指側端部で遊離され、手ロバンドの他端の親指側端部裏側に設けられた手口バンド親指側面ファスナーと、親指挿入袋外面の手首側に設けられた親指挿入袋面ファスナーと、を有し、手ロバンドを先端方向に引いて親指端部側に引き寄せた後に、手ロバンド親指側面ファスナーと親指挿入袋面ファスナーとを付着させることにより、手との密着感を向上させることができ、小指側の締りがさらに向上し補充動作に重要な対立運動がしやすくなるという効果がある。
【手続補正４】
【補正対象書類名】明細書
【補正対象項目名】００１１
【補正方法】削除
【補正の内容】